(57)【特許請求の範囲】
【請求項１】
記録液滴を吐出して記録を行う記録ヘッドに対向するように配されたプラテン上に被記録媒体を搬送して記録を行うインクジェット記録方法において、
被記録媒体搬送方向と交差する方向に複数のリブを備えたリブ列を前記プラテンに前記被記録媒体搬送方向に沿って少なくとも２列配し、各リブ列は、被記録媒体の先端または後端が各リブ列上に位置する状態で記録ヘッドの吐出ノズル列によって被記録媒体の先端または後端領域に記録ができるように配置され、かつ、各リブ列のリブを被記録媒体搬送方向と交差する方向において互いに異なる位置となるよう配置し、
前記被記録媒体の搬送方向先端あるいは後端への記録動作の際、
被記録媒体の先端または後端が各リブ列上に位置する状態で、各リブの位置に対応した記録データをマスクしたインクジェット記録を少なくとも2列のリブ列の各々において行うことで被記録媒体の先端または後端の一行の所定の記録を完成させることを特徴とするインクジェット記録方法。
【請求項２】
記録液滴を吐出して記録を行う記録ヘッドに対向するように配されたプラテン上に被記録媒体を搬送して記録を行うインクジェット記録装置において、
被記録媒体搬送方向と交差する方向に複数のリブを備えたリブ列が前記プラテンに前記被記録媒体搬送方向に沿って少なくとも２列配され、各リブ列は、被記録媒体の先端または後端が各リブ列上に位置する状態で記録ヘッドの吐出ノズル列によって被記録媒体の先端または後端領域に記録ができるように配置され、かつ、各リブ列のリブは被記録媒体搬送方向と交差する方向において互いに異なる位置となるよう配置されており、
前記被記録媒体の搬送方向先端あるいは後端への記録動作の際、
被記録媒体の先端または後端が各リブ列上に位置する状態で、各リブの位置に対応した記録データをマスクしたインクジェット記録を少なくとも2列のリブ列の各々において行うことで被記録媒体の先端または後端の一行の所定の記録を完成させることを特徴とするインクジェット記録装置。
【請求項３】
記録液滴を吐出して記録を行う記録ヘッドと該記録ヘッドに対向して配されたプラテンの間に被記録媒体を搬送して記録を行うインクジェット記録方法において、
前記プラテンとして、複数のリブを被記録媒体搬送方向と交差する方向に配列して構成されたリブ列が被記録媒体搬送方向に少なくとも２本配され、かつ、各リブ列のリブが被記録媒体搬送方向と交差する方向において互いに異なる位置となるよう配置されているプラテンを用い、
前記被記録媒体の搬送方向先端あるいは後端への記録動作の際、
前記記録ヘッドの吐出ノズル列を、被記録媒体搬送方向下流側のリブ列上に配置された被記録媒体の搬送方向先端または後端領域を記録可能とする第１ノズル列の範囲と、被記録媒体搬送方向上流側のリブ列上に配置された被記録媒体の搬送方向先端または後端領域を記録可能とする第２ノズル列の範囲とに分け、
被記録媒体搬送方向上流側のリブ列上に被記録媒体の搬送方向先端または後端が位置する状態で、前記第２ノズル列の範囲あるいは前記第１ノズル列および第２ノズル列の範囲を用い、前記記録ヘッドによって、前記記録ヘッドの吐出ノズル列による一行分の記録データの一部に相当する記録データ第１領域の記録を行う第１段階と、
被記録媒体搬送方向下流側のリブ列上に被記録媒体の搬送方向先端または後端が位置する状態で、前記第１ノズル列および第２ノズル列の範囲あるいは前記第１ノズル列の範囲を用い、前記記録ヘッドによって、前記一行分の記録データの残りに相当する記録データ第２領域の記録を行う第２段階とを少なくとも１回ずつ実施し、
前記記録データ第１領域としては、前記一行分の記録データ全体に対して、被記録媒体搬送方向上流側のリブ列を構成する各リブの位置に対応した記録データを少なくともマスク処理した記録データを用い、前記記録データ第２領域としては、前記一行分の記録データ全体に対して、被記録媒体搬送方向下流側のリブ列を構成する各リブの位置に対応した記録データを少なくともマスク処理した記録データを用いたことを特徴とするインクジェット記録方法。
【請求項４】
記録液滴を吐出して記録を行う記録ヘッドと該記録ヘッドに対向して配されたプラテンとの間に被記録媒体を搬送して記録を行うインクジェット記録装置において、
前記プラテンの少なくとも、前記記録ヘッドの吐出ノズル列と対向する領域に、複数のリブを被記録媒体搬送方向と交差する方向に配列して構成されたリブ列が被記録媒体搬送方向に少なくとも２本配され、隣り合う各リブ列のリブの配置が被記録媒体搬送方向と交差する方向において互いに異なり、
前記被記録媒体の搬送方向先端あるいは後端への記録動作の際、
前記記録ヘッドの吐出ノズル列を、被記録媒体搬送方向下流側のリブ列上に配置された被記録媒体の搬送方向先端または後端領域を記録可能とする第１ノズル列の範囲と、被記録媒体搬送方向上流側のリブ列上に配置された被記録媒体の搬送方向先端または後端領域を記録可能とする第２ノズル列の範囲とに分け、
被記録媒体搬送方向上流側のリブ列上に被記録媒体の搬送方向先端が位置する状態で、前記第２ノズル列の範囲を用い、被記録媒体搬送方向上流側のリブ列を構成する各リブの位置に対応した記録データをマスクしたインクジェット記録を行い、次いで、被記録媒体搬送方向下流側のリブ列上に被記録媒体の搬送方向先端が位置する状態で、前記第１ノズル列および第２ノズル列の範囲を用い、被記録媒体搬送方向下流側のリブ列を構成する各リブの位置に対応した記録データをマスクしたインクジェット記録を行うことで被記録媒体の搬送方向先端に対して１行の所定の記録を完成させ、
被記録媒体搬送方向上流側のリブ列上に被記録媒体の搬送方向後端が位置する状態で、前記第１ノズル列および第２ノズル列の範囲を用い、被記録媒体搬送方向上流側のリブ列を構成する各リブの位置に対応した記録データをマスクしたインクジェット記録を行い、次いで、被記録媒体搬送方向下流側のリブ列上に被記録媒体の搬送方向後端が位置する状態で、前記第１ノズル列の範囲を用い、被記録媒体搬送方向下流側のリブ列を構成する各リブの位置に対応した記録データをマスクしたインクジェット記録を行うことで被記録媒体の搬送方向後端に対して１行の所定の記録を完成させることを特徴とするインクジェット記録装置。
【請求項５】
前記プラテンのリブ列を構成するリブ同士の間には、記録液を吸収する吸収手段が設けられていることを特徴とする、請求項４に記載のインクジェット記録装置。
【請求項６】
前記プラテンの隣り合うリブ列に関して、一方のリブ列の隣り合うリブ同士の略中央に相当する位置に、もう一方のリブ列の各リブが配されていることを特徴とする、請求項４に記載のインクジェット記録装置。
【請求項７】
各リブ列上でのインクジェット記録の間に被記録媒体の搬送を伴うことを特徴とする、請求項４から６のいずれか１項に記載のインクジェット記録装置。
【請求項８】
各リブ列上でのインクジェット記録の間に搬送される被記録媒体の搬送量は記録ヘッドの吐出ノズル列の被記録媒体搬送方向長さの半分以下であることを特徴とする、請求項７に記載のインクジェット記録装置。
【発明の詳細な説明】
【０００１】
【発明の属する技術分野】
本発明は、被記録用紙上にインクを吐出し記録を行うインクジェット記録装置に関し、さらに詳細には、被記録用紙の全面に余白なく記録を行うインクジェット記録装置に関する。
【０００２】
【従来の技術】
被記録用紙の全面に完全に一致した範囲だけ記録動作を行うことは、被記録用紙の形状誤差や、記録装置側の被記録用紙搬送精度等により現実的ではないので、通常は被記録用紙の端から所定の距離だけ内側から記録動作を開始させている。そのため、記録結果は用紙の端に沿って余白（縁）を持った結果となるのが普通であった。
【０００３】
しかしながら、銀塩写真のプリントサービスに見られるように、余白なし（縁なし）の記録結果を嗜好する人も多く、インクジェット記録装置においても、記録完了後の被記録用紙全面に余白なく記録を行う手段がいくつか実用化されている。前記の手段を大別すると、記録後に被記録用紙を加工する方法と、被記録用紙には加工を行わず、被記録用紙面積以上の範囲に記録動作を行って前述の誤差や精度不足を補う方法である。
【０００４】
前者の例としては、ミシン目で囲まれた領域と、この領域外の、ミシン目に沿って切り取れる余分とを被記録用紙に設け、ミシン目で囲まれた領域だけでなく余分の所まで記録を行い、記録動作終了後に余分を切り取って所望の記録結果を得るものがある。図１８に一例を示す。記録領域５３が４カ所のミシン目５２で形成された被記録用紙１３に対しては記録領域５３以上の領域に記録を行うが、記録終了後にミシン目５２に沿って記録領域５３の外側の余分を除去することにより、余分除去後の被記録用紙には余白なし記録（縁なし記録）がなされているものである。
【０００５】
また、特開平１１−３２１０１６号公報に開示される発明のように、長尺のロール紙に記録を行い、記録動作終了後に記録済みの部分だけ切断して所望の記録結果を得るものがある。
【０００６】
後者の例としては、被記録用紙面積以上の範囲に記録動作する部分で、記録ヘッドと対向するプラテンにインクを直接吐出してしまうと、被記録用紙を案内保持するリブにインクが付着し、被記録用紙の裏面にそのインクが転写して汚れてしまうため、これを回避する手段として被記録用紙の先端あるいは後端に記録を行う際にはプラテンが隠れて、被記録用紙の裏面のみ直接保持する装置が実用化されている。
【０００７】
また、図１９に示す発明の様に、記録ヘッド１０の走査方向と同方向に移動可能な記録シート支持部材５０を持ち、記録シート検知手段５１によって被記録用紙１３の幅を検知しつつ記録シート支持部材５０を移動させ、１行の記録を複数に分割して実施することにより、所望の記録結果を得るものが提案されている。
【０００８】
【発明が解決しようとする課題】
しかしながら、上述した従来例においては、余白なく被記録用紙全面に記録を行うにはいくつかの制約があった。
【０００９】
すなわち、記録後に被記録用紙を加工する方法においては、加工後に得られる被記録用紙のサイズより大きい被記録用紙を使用する必要があり、記録装置自体もそのサイズに対応する必要があるため、記録装置の大型化を招いていた。また、被記録用紙の加工をユーザー自身が行わなければならないため、操作が煩雑になっていた。また、ミシン目に沿って手で被記録用紙の余分を除去するような方法では切断面が綺麗にならず、仕上がりに難点があった。
【００１０】
また、長尺のロール紙に記録を行い、記録終了後に切断を行う方法においては、記録装置に切断手段を設ける必要があり、記録装置の大型化あるいはコストアップを招いていた。また、長尺のロール紙に画像を連続記録後、ユーザー自身で切断する方法においては、画像境界部でずれ無く切断するのは難しく、操作が煩雑になっていた。
【００１１】
また、被記録用紙面積以上の範囲に記録動作を行う方法においては、被記録用紙の搬送に同期してプラテンが移動する機構や、キャリアの移動に同期してプラテンが移動する機構を設ける必要があり、装置の複雑化あるいは大型化、およびコストアップを招いていた。
【００１２】
本発明の目的は、上記従来技術の問題点に鑑み、記録装置の複雑化あるいは大型化、およびコストアップを招くことなしに、余白なく被記録用紙全面に記録を行うことができ、被記録用紙の仕上がりも良く、操作性の良いインクジェット記録装置を提供することにある。
【００１３】
【課題を解決するための手段】
上記目的を達成するための本発明は、記録液滴を吐出して記録を行う記録ヘッドに対向するように配されたプラテン上に被記録媒体を搬送して記録を行うインクジェット記録方法およびインクジェット記録装置において、被記録媒体搬送方向と交差する方向に複数のリブを備えたリブ列が前記プラテンに前記被記録媒体搬送方向に沿って少なくとも２列配され、各リブ列は、被記録媒体の先端または後端が各リブ列上に位置する状態で記録ヘッドの吐出ノズル列によって被記録媒体の先端または後端領域に記録ができるように配置され、かつ、各リブ列のリブは被記録媒体搬送方向と交差する方向において互いに異なる位置となるよう配置されており、前記被記録媒体の搬送方向先端あるいは後端への記録動作の際、被記録媒体の先端または後端が各リブ列上に位置する状態で、各リブの位置に対応した記録データをマスクしたインクジェット記録を少なくとも2列のリブ列の各々において行うことで被記録媒体の先端または後端の一行の所定の記録を完成させることを特徴とする。
【００１４】
また本発明は、記録液滴を吐出して記録を行う記録ヘッドと該記録ヘッドに対向して配されたプラテンの間に被記録媒体を搬送して記録を行うインクジェット記録方法において、前記プラテンとして、複数のリブを被記録媒体搬送方向と交差する方向に配列して構成されたリブ列が被記録媒体搬送方向に少なくとも２本配され、かつ、各リブ列のリブが被記録媒体搬送方向と交差する方向において互いに異なる位置となるよう配置されているプラテンを用い、前記被記録媒体の搬送方向先端あるいは後端への記録動作の際、前記記録ヘッドの吐出ノズル列を、被記録媒体搬送方向下流側のリブ列上に配置された被記録媒体の搬送方向先端または後端領域を記録可能とする第１ノズル列の範囲と、被記録媒体搬送方向上流側のリブ列上に配置された被記録媒体の搬送方向先端または後端領域を記録可能とする第２ノズル列の範囲とに分け、被記録媒体搬送方向上流側のリブ列上に被記録媒体の搬送方向先端または後端が位置する状態で、前記第２ノズル列の範囲あるいは前記第１ノズル列および第２ノズル列の範囲を用い、前記記録ヘッドによって、前記記録ヘッドの吐出ノズル列による一行分の記録データの一部に相当する記録データ第１領域の記録を行う第１段階と、被記録媒体搬送方向下流側のリブ列上に被記録媒体の搬送方向先端または後端が位置する状態で、前記第１ノズル列および第２ノズル列の範囲あるいは前記第１ノズル列の範囲を用い、前記記録ヘッドによって、前記一行分の記録データの残りに相当する記録データ第２領域の記録を行う第２段階とを少なくとも１回ずつ実施し、前記記録データ第１領域としては、前記一行分の記録データ全体に対して、被記録媒体搬送方向上流側のリブ列を構成する各リブの位置に対応した記録データを少なくともマスク処理した記録データを用い、前記記録データ第２領域としては、前記一行分の記録データ全体に対して、被記録媒体搬送方向下流側のリブ列を構成する各リブの位置に対応した記録データを少なくともマスク処理した記録データを用いたことを特徴とする。
【００１５】
また本発明は、記録液滴を吐出して記録を行う記録ヘッドと該記録ヘッドに対向して配されたプラテンとの間に被記録媒体を搬送して記録を行うインクジェット記録装置において、前記プラテンの少なくとも、前記記録ヘッドの吐出ノズル列と対向する領域に、複数のリブを被記録媒体搬送方向と交差する方向に配列して構成されたリブ列が被記録媒体搬送方向に少なくとも２本配され、隣り合う各リブ列のリブの配置が被記録媒体搬送方向と交差する方向において互いに異なり、前記被記録媒体の搬送方向先端あるいは後端への記録動作の際、前記記録ヘッドの吐出ノズル列を、被記録媒体搬送方向下流側のリブ列上に配置された被記録媒体の搬送方向先端または後端領域を記録可能とする第１ノズル列の範囲と、被記録媒体搬送方向上流側のリブ列上に配置された被記録媒体の搬送方向先端または後端領域を記録可能とする第２ノズル列の範囲とに分け、被記録媒体搬送方向上流側のリブ列上に被記録媒体の搬送方向先端が位置する状態で、前記第２ノズル列の範囲を用い、被記録媒体搬送方向上流側のリブ列を構成する各リブの位置に対応した記録データをマスクしたインクジェット記録を行い、次いで、被記録媒体搬送方向下流側のリブ列上に被記録媒体の搬送方向先端が位置する状態で、前記第１ノズル列および第２ノズル列の範囲を用い、被記録媒体搬送方向下流側のリブ列を構成する各リブの位置に対応した記録データをマスクしたインクジェット記録を行うことで被記録媒体の搬送方向先端に対して１行の所定の記録を完成させ、被記録媒体搬送方向上流側のリブ列上に被記録媒体の搬送方向後端が位置する状態で、前記第１ノズル列および第２ノズル列の範囲を用い、被記録媒体搬送方向上流側のリブ列を構成する各リブの位置に対応した記録データをマスクしたインクジェット記録を行い、次いで、被記録媒体搬送方向下流側のリブ列上に被記録媒体の搬送方向後端が位置する状態で、前記第１ノズル列の範囲を用い、被記録媒体搬送方向下流側のリブ列を構成する各リブの位置に対応した記録データをマスクしたインクジェット記録を行うことで被記録媒体の搬送方向後端に対して１行の所定の記録を完成させることを特徴とする。
【００１６】
このインクジェット記録装置において、前記プラテンのリブ列を構成するリブ同士の間には、記録液を吸収する吸収手段が設けられていることが好ましい。また、前記プラテンの隣り合うリブ列に関して、一方のリブ列の隣り合うリブ同士の略中央に相当する位置に、もう一方のリブ列の各リブが配されていることが好ましい。
【００１７】
さらに上記のようなインクジェット記録装置は、各リブ列上でのインクジェット記録の間に被記録媒体の搬送を伴うことを特徴とし、この場合、各リブ列上でのインクジェット記録の間に搬送される被記録媒体の搬送量は記録ヘッドの吐出ノズル列の被記録媒体搬送方向長さの半分以下であることが好ましい。
【００１８】
次に、本発明の作用について説明する。
【００１９】
上記のとおり構成された本発明では、被記録媒体の搬送方向先端あるいは後端への記録動作の際、記録ヘッドの吐出ノズル列を分割する被記録媒体搬送方向下流側の第１ノズル列および被記録媒体搬送方向上流側の第２ノズル列のうちの当該第２ノズル列の範囲内に、前記被記録媒体の搬送方向先端あるいは後端を位置させる。このとき、前記被記録媒体の搬送方向先端あるいは後端は、前記第２ノズル列の範囲に対応する被記録媒体搬送方向上流側のリブ列上でも在る。そして、この位置で停止した被記録媒体が入っている前記第２ノズル列の範囲（先端部記録の場合）あるいは、前記第１ノズル列および第２ノズル列の範囲（後端部記録の場合）を用い、前記記録ヘッドの記録動作によって、一行分の記録データの一部に相当する記録データ第１領域の記録を行う。このとき、前記記録データ第１領域としては、前記一行分の記録データ全体に対して、前記被記録媒体搬送方向上流側のリブ列を構成する各リブの位置を少なくともマスク処理した記録データを用いているため、記録ヘッドからの記録滴は前記被記録媒体搬送方向上流側のリブ列のリブの無いところに吐出され、当該リブに記録滴が付着することはない。さらに、先端部記録の場合は、前記第２ノズル列の範囲のみを用いているため、前記第１ノズル列の範囲に対応する被記録媒体搬送方向下流側のリブ列のリブに記録滴が吐出されることもない。
【００２０】
次に、前記被記録媒体の搬送方向先端あるいは後端を前記第１ノズル列の範囲内に位置させる。このとき、前記被記録媒体の搬送方向先端あるいは後端は、前記第１ノズル列の範囲に対応する被記録媒体搬送方向下流側のリブ列上でも在る。そして、この位置で停止した被記録媒体が入っている前記第１ノズル列および第２ノズル列の範囲（先端部記録の場合）あるいは、前記第１ノズル列の範囲（後端部記録の場合）を用い、前記記録ヘッドの記録動作によって、前記一行分の記録データの残りに相当する記録データ第２領域の記録を行う。このとき、前記記録データ第２領域としては、前記一行分の記録データ全体に対して、前記被記録媒体搬送方向下流側のリブ列を構成する各リブの位置を少なくともマスク処理した記録データを用いている。特に、前記被記録媒体搬送方向下流側のリブ列を構成する各リブを、前記被記録媒体搬送方向上流側のリブ列の隣り合うリブ同士の間に相当する位置に配したことにより、前記被記録媒体搬送方向上流側のリブ列のリブの無い所に対応する記録データ第１領域を一行分の記録データ全体に対して除いた（反転した）領域である記録データ第２領域は前記被記録媒体搬送方向下流側のリブ列の隣り合うリブ間に位置する。そのため、記録ヘッドからの記録滴は前記被記録媒体搬送方向下流側のリブ列のリブの無いところに吐出され、当該リブに記録滴が付着することはない。さらに、後端部記録の場合は、前記第１ノズル列の範囲のみを用いているため、前記第２ノズル列の範囲に対応する被記録媒体搬送方向上流側のリブ列のリブに記録滴が吐出されることもない。
【００２１】
以上のように、被記録媒体の搬送方向先端あるいは後端への記録動作の際、前記第２ノズル列の範囲に対応する被記録媒体搬送方向上流側のリブ列上と、前記第１ノズル列の範囲に対応する被記録媒体搬送方向下流側のリブ列上とで少なくとも１回ずつ停止するように前記被記録媒体を搬送制御し、各搬送停止位置毎に前記プラテンの各リブ位置に応じてマスク処理した記録データによる記録動作を実施することで、一行の記録が完了する。
【００２２】
このようにして余白なし（縁なし）記録方法を実施できるインクジェット記録装置によれば、記録装置の複雑化あるいは大型化、およびコストアップを招くことなしに、余白なく被記録媒体全面に記録を行うことが可能である。また、記録動作後のユーザー自身による二次加工が必要ないので、操作性が向上する。また、被記録媒体の二次加工が必要ないので、被記録媒体の仕上がりが悪化することがない。
【００２３】
【発明の実施の形態】
以下、本発明の実施の形態について図面を参照して説明する。
【００２４】
図１は、本発明を適用したインクジェット記録装置の一例の記録部全体を示した、模式的斜視図である。また図１において、符号１２はプラテンに接して配されたプラテンインク吸収体、符号３８は排紙ローラ３７と同軸上に固定された排紙ローラギア、符号３９は記録装置の各部を支持するシャーシ、符号４１は記録装置の外装を指している。
【００２５】
先ずは図１を参照し、インクジェット記録装置の構成部およびその動作を説明する。
【００２６】
本例のインクジェット記録装置は、概略すると給紙部と用紙搬送部と排紙部とキャリア部から構成されている。
【００２７】
給紙部は積載された被記録材である被記録用紙１３を１枚ずつ送り出すＡＳＦ（オート・シート・フィーダ）４０からなる。
【００２８】
被記録用紙１３は複数枚重ねてＡＳＦ４０の給紙トレイ上に載置される。給紙トレイ上の被記録用紙１３は、給紙ローラ（不図示）の回転により最上位のシートから分離・搬送され、用紙搬送経路（不図示）を通って用紙搬送部に送り込まれる。
【００２９】
用紙搬送部は、被記録用紙１３を搬送するＬＦローラ３３と、ＬＦローラ３３と対向して被記録用紙１３を挟持するピンチローラ３５からなる。
【００３０】
ピンチローラ３５はピンチローラホルダ３６に保持されている。ＬＦローラ３３と同軸上にはＬＦローラギア３４が固定されており、ＬＦモータ（不図示）を駆動源として、ＬＦローラギア３４を介してＬＦローラ３３に駆動力が伝達される。ＬＦローラ３３に対向して配されたピンチローラ３５は、ピンチローラホルダ３６を介して弾性部材（不図示）によりＬＦローラ３３に付勢されている。被記録用紙１３がＡＳＦ４０より送られて来た後、ＬＦローラ３３を回転開始することにより、被記録用紙１３の先端がＬＦローラ３３とピンチローラ３５のニップ部（接触部）に挟持される。ＬＦローラ３３と被記録用紙１３の間は摩擦係数が高く設定されているため、ＬＦローラ３３の回転に応じてほぼ滑りが無く被記録用紙１３は搬送される。
【００３１】
ＬＦローラ３３により搬送される被記録用紙１３は、プラテン１１に設けられたリブ列に案内・支持され排紙部に導かれる。なお、被記録用紙１３を案内・支持するプラテン１１に設けられたリブは、被記録用紙１３との接触面積を小さくして抵抗を少なくするようにしており、これにより被記録用紙１３はスムースに排紙部に搬送される。
【００３２】
排紙部は、用紙搬送下流側で用紙を搬送する排紙ローラ３７と、拍車（不図示）とからなる（図１２では、排紙ローラ３７の上方に配される）。
【００３３】
排紙ローラ３７はＬＦローラ３３とギア列により連結され、同期して回転する。また、拍車はピンチローラ３５と同様に弾性部材により排紙ローラ３７に付勢されているため、ＬＦローラと同様に被記録用紙１３を挟持して搬送することができる。
【００３４】
基本的には、被記録用紙１３はＬＦローラ３３とピンチローラ３５、および排紙ローラ３７と拍車により挟持されて搬送されつつ、記録動作が実施されるが、被記録用紙１３面積に対する記録部分面積を大きくするために、被記録用紙１３の先端部を記録する時にはＬＦローラ３３とピンチローラ３５のみ、被記録用紙１３の後端部を記録する時には排紙ローラ３７と拍車のみに挟持されただけでも記録動作は可能である。
【００３５】
キャリア部は、インクを吐出して記録を行う記録ヘッド１０を搭載して走査されるキャリア３０と、キャリア３０を被記録用紙搬送方向と交差する方向（例えば直交方向）に往復移動できるようにガイドする、ガイドシャフト１４とガイドレール１５からなる。ガイドシャフト１４およびガイドレール１５はキャリア３０の走査方向に沿って延びるように設けられている。
【００３６】
キャリア３０にはキャリアベルト３１が取り付けられ、キャリア３０の駆動源となるキャリアモータ３２のプーリとシャーシ３９に取り付けられたアイドラプーリとの間に張架される。このような構成により、キャリアモータ３２の正逆回転がキャリア３０の往復直線運動に変換される。
【００３７】
記録ヘッド１０はプラテン１１に対向しているので、記録ヘッド１０に設けられたインク吐出ノズルからキャリア３０の移動に同期したタイミングでインク滴を吐出することで、被記録用紙１３へ行単位で記録を行うことが可能となる。記録ヘッド１０は、共通の記録液室に連通する複数のノズル内に電気熱変換素子を設け、これに記録信号となる電気パルスを与えることによりノズル内の記録液に熱エネルギーを与え、その時の記録液の相変化により生じる記録液の発泡時（沸騰時）の気泡圧力を記録液滴の吐出に利用したものや、前記電気熱変換素子ではなく例えばピエゾ素子などの振動素子による圧力エネルギーを記録液滴の吐出に利用したものであっても良い。
【００３８】
被記録用紙１３への記録が終了すると、前述の排紙部により被記録用紙１３は記録装置外へ排出される。
【００３９】
以上が、本例のインクジェット記録装置の各部構成および動作説明の概略である。
【００４０】
次に、記録方法の詳細、特に被記録用紙１３の先端部および後端部への記録方法に関して、図２から図１２を使用して説明する。
【００４１】
最初に、図２の用紙先端部記録動作を説明するフローチャートを用いて、用紙先端部の余白なし記録（縁なし記録）を説明する。
【００４２】
被記録用紙１３が搬送され、不図示のＰＥ（ペーパーエンド）センサにより被記録用紙１３の先端が検知されると、用紙先端部記録動作が開始する（図２のステップＳ１）。
【００４３】
次に、被記録用紙１３先端が所定位置まで頭出しされるように、ＬＦモータ（不図示）を駆動してＬＦローラ３３を正回転させる（図２のステップＳ２）。所定位置とは、図３に示す記録ヘッド１０と被記録用紙１３との関係を満たす位置である。図３は、本発明を適用したインクジェット記録装置の一例の記録部に関して、説明に必要な部分だけ取り出して示した、模式的斜視図である。
【００４４】
ここで位置関係を明確にするために、図４に図３の矢印Ａ方向から見た、記録装置の模式的側面図を示す。同図において、符号１６は記録ヘッド１０に設けられたインク吐出ノズル列を示している。吐出ノズル列１６は、インク吐出ノズルが略直線状に複数個配列されたものであるが、このうち、用紙搬送方向Ｘから見て上流側の略半分を吐出ノズル列１６ｂ（第２ノズル列）と呼ぶことにする。同様に、図５に示すように、用紙搬送方向Ｘから見て下流側の略半分を吐出ノズル列１６ａ（第１ノズル列）と呼ぶことにする。
【００４５】
用紙先端部記録動作時の頭出し所定位置は、被記録用紙１３先端が吐出ノズル列１６ｂの範囲内にあり、吐出ノズル列１６ｂの最下流側から距離Ｌb だけ手前にある状態である。この距離Ｌbを設定する理由は以下の通りである。即ち、被記録用紙の搬送が理想状態にあり、被記録用紙１３の先端位置と記録ヘッド１０の吐出ノズルの相対位置が確定できれば、Ｌb＝０として被記録用紙１３の先頭部から記録動作を開始することにより先端余白無く記録することが可能であるが、実際には被記録用紙の位置を検出するＰＥセンサの精度不足があったり、被記録用紙１３が若干斜めに搬送されて被記録用紙先端辺とキャリア３０の走査方向が平行で無くなる場合があり、Ｌb＝０としてしまうと、若干の先端余白の発生や、予期せぬ被記録用紙外へのインク滴吐出が発生してしまうことになる。このようなことを完全に防止する手段を講じることは不可能では無いが、かかるコストとのバランスを考慮すると得策ではない。以上より、適切な量の距離Ｌbを設定することで、各種精度がある程度ばらついても被記録用紙１３の先端が必ず吐出ノズル列１６ｂの領域に有ることを保証することが可能となるので、先端余白が発生せずに済む。
【００４６】
なおこの時、記録に必要なデータは距離Ｌbの分まで見越しておく必要があるので、実際に被記録用紙上に記録されるよりやや大きな領域のデータを用意しておくことが必要である。
【００４７】
以上で被記録用紙の頭出しが完了すると、次のステップで記録動作が開始する。
【００４８】
次に、先端部記録データの第２領域（図８の符号１５の領域）をマスクする処理を行う（図２のステップＳ３）。これは、先端部の記録を複数パスに分割して実施するための処理である。図６に先端部記録データのマスク処理方法を示す模式的平面図を示す。同図において、符号１７は先端部記録データの全体範囲、符号１８は先端部記録データ第１領域を示している。
【００４９】
ステップＳ３のマスク処理においては、１行分の先端部記録データ１７に対して、先端部記録データ第１領域１８の部分だけを記録するために、残りの部分をマスクして記録しないようにする。即ち、例えばホストコンピュータから送られてきた先端部記録データと先端部記録データ第１領域１８のマスクとで論理和（ＡＮＤ）を取り、図６でハッチングで描かれた部分の記録データのみを有効記録データとする。
【００５０】
ここで、この先端部記録データ第１領域１８は、プラテン１１に設けられたリブ列の配置と関連して設定されている。どのようにリブ列の配置と関連するかを説明するために、次にプラテンの形状に関して説明する。
【００５１】
図７はプラテン１１とプラテンインク吸収体１２の関係を示す、模式的斜視図である。前述した理由で、プラテンにはリブが設けられている訳であるが、本発明では、リブ列を複数本配している。図３〜図６および図７（Ａ）で示すように、プラテン１１には被記録用紙搬送方向Ｘの上流側の略半分までに略等間隔に並んだプラテンリブ列Ｂ１１ｂを配し、被記録用紙搬送方向Ｘの下流側の略半分には、各リブがプラテンリブ列Ｂ１１ｂのリブ同士の略中央になるように、プラテンリブ列Ａ１１ａを配している。また、被記録用紙搬送方向Ｘで見ると、図４で示すように、吐出ノズル列１６の上流側おおむね半分までプラテンリブ列Ｂ１１ｂが有り、吐出ノズル列１６の下流側おおむね半分にプラテンリブ列Ａ１１ａが有る。以上のようなリブ配列を持ったプラテン１１に、リブ以外の部分を埋めるかたちでプラテンインク吸収体１２が配される。プラテンインク吸収体１２は、パルプあるいは高分子等で構成された、インクの吸収効率が良好な物質からなっており、プラテン１１のリブに対応する部分に穴の開いた形状である。このプラテン１１とプラテンインク吸収体１２とを組み合わせて、図７（Ｂ）で示すユニットとし、記録装置内に配している。
【００５２】
以上のように略千鳥形状に配置されたリブを持つプラテン１１の、上流側のプラテンリブ列Ｂ１１ｂのピッチに対応して先端部記録データ第１領域１８が設定される訳であるが、さらに詳細には、先端部記録データ第１領域１８は、プラテンリブ列Ｂ１１ｂのリブ同士の略中央になるように、設定されている（図６）。よって、先端部記録データ第１領域１８のピッチはプラテンリブ列Ｂ１１ｂのピッチとほぼ一致しており、その幅はプラテンリブ列Ｂ１１ｂのピッチの略半分である。
【００５３】
以上にプラテン１１のリブ列と先端記録データ第１領域１８の関係を説明した。
【００５４】
次に、キャリア３０の第１走査により第１領域１８を記録する（図２のステップＳ４）。具体的には前述したようにキャリア３０を駆動走査し、マスクされた記録データに基づいて記録動作を行う。記録ヘッド１０の吐出ノズルから吐出されたインク滴は、被記録用紙１３上に着弾して定着する訳であるが、図４に示すように、吐出ノズル列１６ｂには距離Ｌbの分だけ被記録用紙１３に対向していない吐出ノズルがあるので、その部分から吐出されたインク滴は、直接プラテンインク吸収体１２まで到達して吸収・回収される。また、図６に示す通り、第１領域１８の記録はプラテンリブ列Ｂ１１ｂの無いところでのみインク滴を吐出するので、プラテンリブ列Ｂ１１ｂ上にインク滴が吐出されることはなく、さらには、先端記録データ第１領域１８に対応するのは吐出ノズル列１６ｂの領域だけであるので、プラテンリブ列Ａ１１ａ上にインク滴が吐出されることもなく、被記録用紙１３外に吐出されたインク滴は、全てプラテンインク吸収体に吸収・回収される。
【００５５】
なお、上記の方法によりプラテン１１のリブ上にインク滴を吐出させない理由は、以下の通りである。即ち、被記録用紙１３はリブによりガイドされ搬送されているので、被記録用紙１３の反記録面側とプラテン１１のリブとは摺動しており、万一プラテン１１のリブ上にインク滴が付着していると、被記録用紙１３の反記録面側がインクで汚れてしまう可能性が有るからである。
【００５６】
図３は、この１行分の記録動作が終了した後の状態を示している図であり、第１走査によって被記録用紙１３上に第１記録領域１３ａを形成している。
【００５７】
次に、被記録用紙１３の所定量の搬送が実施される（図２のステップＳ５）。被記録用紙１３が搬送された後の状態を示した図５を参照すると、ステップＳ５を経た被記録用紙１３先端部は吐出ノズル列１６ａの範囲に有り、吐出ノズル列１６ａの最下流側から被記録用紙１３先端まで距離Ｌaだけ離れたところまで搬送されている。距離Ｌaが存在する理由は、図４の説明にてＬbが存在している理由と全く同一である。また、このときの搬送量は、吐出ノズル列１６の被記録用紙搬送方向Ｘにおける長さの半分以下の量にすると良い。これにより、効率良く吐出ノズル列長さを活用することができる。
【００５８】
次に、先端部記録データの第１領域１８をマスクする処理を行う（図２のステップＳ６）。これは、ステップＳ３からステップＳ４で実施した記録の、残りの部分を記録するためである。図８に先端部記録データの２回目のマスク処理方法を示す模式的平面図を示す。同図において、符号１９は先端部記録データ第２領域を示す。ステップＳ６のマスク処理においては、ステップＳ３のマスク処理で記録を行わなかった部分を記録するので、先端部記録データ第２領域１９は先端部記録データ１７に対して先端部記録データ第１領域１８を反転した（除いた）領域である。ステップＳ４と同様に先端部記録データ１７と先端部記録データ第２領域１９のマスクとで論理和（ＡＮＤ）を取り、図８にハッチングで描かれた部分の記録データのみを有効記録データとする。
【００５９】
次に、キャリア３０の第２走査により第２領域１９を記録する（図２のステップＳ７）。この走査は、ステップＳ４における第１走査の復時の走査で行っても良いし、一度第１走査のスタート点に戻ってから第１走査と同方向に走査しても良い。このとき、有効記録データのうち、被記録用紙１３外にインク滴が吐出される部分は、先端部記録データ第１領域１８の設定とプラテンリブ列Ａ１１ａおよびプラテンリブ列Ｂ１１ｂとの関係により、プラテンリブ列Ａ１１ａのリブとリブの間であるため、プラテンリブ列Ａ１１ａ上にインク滴が吐出されることは無い。これにより、被記録用紙１３外に吐出されたインク滴は、全てプラテンインク吸収体１２に吸収・回収される。
【００６０】
図９は、この１行分の記録動作の第２走査終了後の状態を示している図であり、第２走査によって被記録用紙１３上に第２記録領域１３ｂを形成することによって、前述の第１記録領域１３ａと併せて先端記録データ１７の１行分の記録が終了する。
【００６１】
以上が用紙先端部の余白なし記録方法の説明である。
【００６２】
なお、以上の説明では特に被記録用紙１３の先端部の余白なし記録（縁なし記録）に関して説明したが、説明に使用した図３，６，８，９では同時に左端・右端も余白なし記録（縁なし記録）しているので、これに関して以下に説明する。
【００６３】
被記録用紙１３の左端・右端への余白なし記録（縁なし記録）を実施するには、被記録用紙１３とキャリア３０のキャリア走査方向位置が理想状態に有れば用紙端部ぎりぎりに記録を実施することにより余白なし記録（縁なし記録）を実現できる。しかし、実際にはユーザーによる左右方向の用紙セット精度等に依存して理想状態から外れることが多い。これを回避するために、センサ等を使用して被記録用紙１３の左端・右端位置を検知して記録を行う手段を講じることは不可能ではないが、掛かるコストとのバランスを考慮すると得策ではない。よって、被記録用紙１３の幅以上の実記録領域幅を設定することにより、被記録用紙１３外に幾ばくかのインク滴を吐出してしまって余白なし記録（縁なし記録）を行うことが現実的である。本実施形態においても、この方式を用いている。
【００６４】
即ち、記録データは設定された被記録用紙１３のサイズより、図８に示すＬLおよびＬRの分だけ広めに設定されており、またＬLおよびＬRの領域には、プラテン１１上のリブが無いようにあらかじめリブ列の配置が決められている。このように構成しておくことにより被記録用紙１３の左端外あるいは右端外にインク滴を吐出しても、プラテン１１のリブ上にインク滴が付着することが無く、余白なし記録（縁なし記録）を実現することができる。また、記録データとしては被記録用紙１３の幅にＬLおよびＬRの分を加えた長さのデータを用意しておく必要がある。なお、上記構成だと未知サイズの用紙幅の被記録用紙が挿入された際にはプラテン１１のリブ上にインク滴が付着する可能性はあるが、通常は定型サイズの用紙を使用する場合がほとんどであり、実用上問題ない。
【００６５】
次に、図１０の用紙後端部記録動作を説明するフローチャートを用いて、用紙後端部の余白なし記録（縁なし記録）を説明する。
【００６６】
不図示のＰＥ（ペーパーエンド）センサにより、搬送中の被記録用紙１３の後端が検知されると、用紙後端部記録動作が開始する（図１０のステップＳ１１）。用紙全面にわたる記録動作中には、被記録用紙１３の後端部は記録動作途中の被記録用紙搬送時に検知されるので、どの位置で用紙後端を検知したのかを記録装置用の制御回路のメモリに記憶しておく。
【００６７】
次に、先に検知して前記メモリに位置を記憶していた被記録用紙後端位置から所定量だけ被記録用紙１３が搬送されたかどうかを判断する（図１０のステップＳ１２）。具体的には、被記録用紙１３の後端部が吐出ノズル列１６ｂの範囲に入ったかどうかを判断する。この範囲に用紙後端が移動したら次のステップに進む。
【００６８】
次に、後端部記録データの第２領域（図１４の符号２９の領域）をマスクする（図１０のステップＳ１３）。具体的手段は用紙先端部の余白なし記録（縁なし記録）を実施した時とほぼ同様であるので、説明は簡略化して行う。即ち、このステップでマスクしてしまう記録データは、プラテンリブ列Ｂ１１ｂと同位相の場所にあるデータである（図１２）。
【００６９】
なお、後端部においても被記録用紙１３外へ吐出するインク滴の分まで見込んで、被記録用紙１３長さよりも長い記録データを用意しておくことが必要である。
【００７０】
次に、キャリア３０の第１走査により第１領域２８の記録を行う（図１０のステップＳ１４）。記録動作は用紙先端部の余白なし記録（縁なし記録）時と同様である（図１２参照）。よって、プラテンリブ列Ｂ１１ｂ上にインク滴が付着することが無く、また被記録用紙１３の外に吐出されたインク滴は、直接プラテンインク吸収体１２に吸収・回収される。図１１は、この１行分の記録動作が終了した後の状態を示している図であり、図中に斜線で示すとおり、被記録用紙１３上に用紙後端部記録以前に記録された領域と、第１走査による第１記録領域とが統合された統合記録領域１３ｃを形成している。
【００７１】
次に、所定量の被記録用紙１３の搬送が実施される（図１０のステップＳ１５）。所定量搬送後の被記録用紙１３の後端は、図１４に示すように吐出ノズル列１６ａの範囲にあり、またこの時の搬送量は吐出ノズル列１６の被記録用紙搬送方向Ｘにおける長さの半分以下の量が良い。
【００７２】
次に、後端部記録データの第１領域２８をマスクする処理を行う（図１０のステップＳ１６）。これは、ステップＳ１３からステップＳ１４で実施した記録の、残りの部分を記録するためである。即ち、このステップでマスクしてしまう記録データは、プラテンリブ列Ａ１１ａと同位相の場所にあるデータである（図１４）。
【００７３】
次に、キャリア３０の第２走査により第２領域２９の記録を行う（図１０のステップＳ１７）。記録動作は用紙先端部の余白なし記録（縁なし記録）時と同様である（図１４参照）。よって、プラテンリブ列Ａ１１ａ上にインク滴が付着することが無く、また、被記録用紙１３の外に吐出されたインク滴は、直接プラテンインク吸収体１２に吸収・回収される。図１３は、この１行分の記録動作が終了した後の状態を示している図であり、ステップＳ１４までで記録が終了している統合記録領域１３ｃとステップＳ１７で記録を実施した最終記録領域１３ｄが統合されて、被記録用紙１３全面への記録が完了している。
【００７４】
次に被記録用紙１３を記録装置外へ排紙する（図１０のステップＳ１８）。排紙動作は、前述したように、排紙ローラ３７と不図示の拍車の作用により行われる。
【００７５】
以上が用紙後端部の余白なし記録方法の説明である。
【００７６】
以上の様に、先端余白なし記録、左端・右端余白なし記録および後端余白なし記録が実施可能となるので、所定の被記録用紙の全面に余白なく記録を行うことができる。
【００７７】
なお、本実施形態においては、プラテンリブ列の各リブは等間隔で並んでいるように説明してきたが、本発明はこれに限られず、リブ間隔は不均等でも良い。その時は、プラテンリブ列Ａ１１ａの各リブはプラテンリブ列Ｂ１１ｂの隣接するリブ同士の略中央に配置してあれば良いし、先端部記録データ第１領域１８および先端部記録データ第２領域１９は、それぞれプラテンリブ列Ｂ１１ｂとプラテンリブ列Ａ１１ａのリブ同士の略中央になるように設定し、その幅はリブ間隔の略半分とすれば良い。
【００７８】
また、本実施形態においては、用紙先端部あるいは用紙後端部の記録時にほぼ吐出ノズル列１６の長さの１／２に相当する幅で１行分の記録・改行を行うように説明してきたが、本発明はこれに限られず、吐出ノズル列１６の長さの１／２以下の幅で１行分の記録・改行を行うように構成しても良い。これは、特に吐出ノズル列の実解像度以上の記録解像度を得たい場合等には、同じ領域を複数回改行でインターレース記録することにより実現できるので、非常に有効である。
【００７９】
また、本実施形態においては、吐出ノズル列１６の幅を符号１６ａの箇所：符号１６ｂの箇所≒１：１に２分割したが、本発明はこれには限らず、３箇所以上に分割しても良いし、不均等な分割比率とすることも可能である。
【００８０】
以上説明したように、本実施形態のようにインクジェット記録装置を構成することにより、記録装置の複雑化あるいは大型化、およびコストアップを招くことなしに、余白なく被記録用紙全面に記録を行うことが可能となる。また、余白のない記録結果を得るために、記録動作後にユーザー自身が二次加工をする必要がないので、操作性が向上する。また、余白のない記録結果を得るために、記録動作後に被記録用紙の二次加工が必要ないので、被記録用紙の仕上がりが悪化することがなく、非常に綺麗な記録結果を得ることが可能になる。
【００８１】
（第２の実施の形態）
第１の実施の形態においては、記録ヘッドの吐出ノズル列が１列のみの場合を示したが、本発明はこれに限られず、複数の吐出ノズル列をもつ記録ヘッドの場合にも適用可能である。
【００８２】
以下、図面を参照して第２の実施の形態を説明する。また、ここでは第１の実施の形態と異なる点を主に説明する。
【００８３】
図１５の（Ａ）〜（Ｃ）は、複数の吐出ノズル列を持つ記録ヘッドの吐出ノズル面を示す、模式的平面図である。同図において、符号４２は被記録用紙側から見た記録ヘッドの吐出ノズル面、符号４３はブラックインクの吐出ノズル列Ｂ、符号４４はイエローインクの吐出ノズル列Ｙ、符号４５はマゼンタインクの吐出ノズル列Ｍ、符号４６はシアンインクの吐出ノズル列Ｃを示す。また、図１３の上下方向が被記録用紙の搬送方向Ｘ、紙面に対して左右方向がキャリアの走査方向Ｙである。
【００８４】
最初に、複数の吐出ノズル列が横（キャリア走査方向Ｙに略平行）に並んでいる場合を説明する。図１５（Ａ）は複数の吐出ノズル列が横に並んだ場合の一例である。この場合は、先端および後端の余白なし記録（縁なし記録）時における記録手順は第１の実施の形態の場合とほぼ同様である。但し、全ての吐出ノズル列からの記録をキャリアの１回の走査により行うときは、以下の領域に被記録用紙先端あるいは被記録用紙後端を位置させるように、用紙搬送制御を行うと良い。すなわち、複数の吐出ノズル列Ｂ，Ｙ，Ｍ，Ｃが被記録用紙搬送方向に共通に存在する領域を第１の実施の形態の吐出ノズル列１６領域（図５、図８等参照）と同等に扱う。そして、その共通領域の略中央で領域を二分し、ノズル列ＬAおよびＬBとする。また、プラテンに配するリブ列も、この共通領域の略中央で分けた２列にする。以上のように構成し、被記録用紙の先端部あるいは後端部を記録する際には、端部がＬＡおよびＬＢの領域内で少なくとも１回ずつ停止するように用紙搬送制御を行う。これによって、被記録用紙の全面に余白なく記録を行うことが可能である。
【００８５】
次に、複数のノズル列が縦（用紙搬送方向Ｘに沿って一直線）に並んでいる場合を説明する。図１５（Ｂ）は複数吐出ノズル列が縦に並んだ場合の一例である。この場合の用紙搬送制御およびプラテンのリブ列構成は若干複雑になる。すなわち、用紙搬送制御においては、各吐出ノズル列毎に第１の実施の形態で述べた制御を行い、それを吐出ノズル列の数だけ繰り返す制御を行う。詳細には、吐出ノズル列Ｂ４３では領域ＬBAとＬBBに分割し、吐出ノズル列Ｃ４６では領域ＬCAとＬCBに分割し、吐出ノズル列Ｍ４５では領域ＬMAとＬMBに分割し、吐出ノズル列Ｙ４４では領域ＬYAとＬYBに分割する。また、プラテンに配するリブ列もそれぞれの吐出ノズル列の略中央で分かれるように構成すれば良い。本実施形態では隣接する吐出ノズル列の分割領域どうしを共通にすることでプラテンのリブ列の数を５本に分ける事ができる。図１６に５本に分かれたプラテンのリブ列の一例を示す。同図において、符号１１ｃ、１１ｄ、１１ｅ、１１ｆ、１１ｇはそれぞれ、プラテンリブ列Ｃ、プラテンリブ列Ｄ、プラテンリブ列Ｅ、プラテンリブ列Ｆ、プラテンリブ列Ｇを示す。
【００８６】
なお、本実施形態では、吐出ノズル列Ｂ４３は領域を中央で分割していないが、領域の分割は吐出ノズル列のどこかで行われれば良く、必ずしも中央である必要はない。プラテンのリブ列の区分する場所もまた同様である。以上のように構成し、被記録用紙の先端部あるいは後端部を記録する際には、端部が、吐出ノズル列の分割領域ＬBB、ＬBA、ＬCB、ＬCA、ＬMB、ＬMA、ＬYB、ＬYAのそれぞれで少なくとも１回ずつ停止するように用紙搬送制御を行うと良い。これによって、被記録用紙の全面に余白なく記録を行うことが可能である。
【００８７】
次に、複数のノズル列の一部が縦に並び、一部が横に並んでいる場合を説明する。図１５（Ｃ）は複数の吐出ノズル列が縦並びおよび横並びを有している場合の一例である。この場合は、基本的に図１５（Ｂ）の縦並びの場合と同様の構成となる。詳細には、吐出ノズル列Ｃ４６では領域ＬCAとＬCBに分割し、吐出ノズル列Ｍ４５では領域ＬMAとＬMBに分割し、吐出ノズル列Ｙ４４では領域ＬYAとＬYBに分割する。吐出ノズル列Ｂ４３においては、その横に並んでいるいずれかの吐出ノズル列の分割位置と同位相で分割するのが構成上好適である。本実施形態の場合は、吐出ノズル列Ｙ４４の分割位置と同位相で分割している。また、プラテンのリブ列も吐出ノズル列Ｙ４４、吐出ノズル列Ｍ４５、吐出ノズル列Ｃ４６のそれぞれの略中央で分けるように構成すればよい。本実施形態では隣接する吐出ノズル列の分割領域どうしを共通にすることでプラテンのリブ列の数を４本にすることができる。以上のように構成し、被記録用紙の先端部あるいは後端部の記録する際には、端部が、領域ＬCB、ＬCA、ＬMB、ＬMA、ＬYB、ＬYAのそれぞれで少なくとも１回ずつ停止するように用紙搬送制御を行うと良い。これによって、被記録用紙の全面に余白なく記録を行うことが可能である。
【００８８】
以上説明したように、本実施形態のようにインクジェット記録装置を構成することにより、複数の吐出ノズル列を持つ記録ヘッドの構成においても、記録装置の複雑化あるいは大型化、およびコストアップを招くことなしに、余白なく被記録用紙全面に記録を行うことが可能となる。
【００８９】
なお、上述した第１及び第２の実施形態では記録媒体の搬送とともに記録媒体搬送方向と交差する方向に記録ヘッドを走査して記録を行ういわゆるシリアルタイプの記録装置を例に挙げて説明したが、本発明はこれに限られず、記録ヘッドが記録媒体の全幅に対応する吐出口列を備えたいわゆるフルラインタイプの記録装置にも適用できる。例えば、本発明に適用する記録装置を記録媒体搬送方向から見た図１７の様に、図３，図９，図１１，図１３等に示した前記シリアルタイプの記録ヘッド１０を前記フルラインタイプの記録ヘッドに置き換えても上述した実施形態と同様の記録方法を実施することは可能である。さらに、フルラインタイプの記録ヘッドは単色のものに限らず、色毎に独立のフルラインタイプ記録ヘッドを記録媒体搬送方向に複数本備え、マゼンタ、シアン、イエロー、ブラック等の複数色の画像記録を可能にする記録装置にも本発明は適用できる。
【００９０】
【発明の効果】
以上説明したように、本発明によれば、インクジェット記録装置において、プラテンの少なくとも、前記記録ヘッドの吐出ノズル列と対向する領域に、被記録媒体搬送方向と交差する方向に複数のリブを備えたリブ列が、当該リブの配置を互いに異なるように構成して前記被記録媒体搬送方向に沿って少なくとも２列配された。そして、前記プラテンのリブ列を構成するリブ同士の間には、記録液を吸収する吸収手段が設けられた。また、前記プラテンの隣り合うリブ列に関して、一方のリブ列の隣り合うリブ同士の略中央に相当する位置に、もう一方のリブ列の各リブが配された。さらに、被記録媒体の搬送方向先端および後端への記録動作の際に、前記リブの位置に応じて記録データをマスク処理し、途中に被記録媒体の搬送を伴った少なくとも２回以上の記録動作によって、前記記録ヘッドの吐出ノズル列による一行の記録を完了させるように構成された。その上、前記被記録媒体の搬送を伴った少なくとも２回以上の記録動作を実施する際、途中に入る被記録媒体の搬送量は記録ヘッドの吐出ノズル列の被記録媒体搬送方向長さの半分以下であるように構成された。
【００９１】
これにより、以下のような効果が得られる。
【００９２】
すなわち、記録装置の複雑化あるいは大型化、およびコストアップを招くことなしに、余白なく被記録媒体全面に記録を行うことができる。
【００９３】
また、余白のない記録結果を得るために、記録動作後にユーザー自身が二次加工をする必要がないので、操作性が向上する。
【００９４】
また、余白のない記録結果を得るために、記録動作後に被記録媒体の二次加工が必要ないので、被記録媒体の仕上がりが悪化することがなく、非常に綺麗な記録結果を得ることができる。
【図面の簡単な説明】
【図１】本発明のインクジェット記録装置の第１の実施の形態の装置全体概略を示す、模式的斜視図である。
【図２】本発明のインクジェット記録装置の第１の実施の形態の記録動作概略を示すフローチャートである。
【図３】本発明のインクジェット記録装置の第１の実施の形態の記録部を示す、模式的斜視図である。
【図４】本発明のインクジェット記録装置の第１の実施の形態の記録部を示す、模式的側面図である。
【図５】本発明のインクジェット記録装置の第１の実施の形態の記録部を示す、模式的側面図である。
【図６】本発明のインクジェット記録装置の第１の実施の形態の用紙先端の記録部分を示す、模式的平面図である。
【図７】本発明のインクジェット記録装置の第１の実施の形態のプラテン部を示す、模式的斜視図である。
【図８】本発明のインクジェット記録装置の第１の実施の形態の用紙先端の記録部分を示す、模式的平面図である。
【図９】本発明のインクジェット記録装置の第１の実施の形態の記録部を示す、模式的斜視図である。
【図１０】本発明のインクジェット記録装置の第１の実施の形態の記録動作概略を示すフローチャートである。
【図１１】本発明のインクジェット記録装置の第１の実施の形態の記録部を示す、模式的斜視図である。
【図１２】本発明のインクジェット記録装置の第１の実施の形態の用紙先端の記録部分を示す、模式的平面図である。
【図１３】本発明のインクジェット記録装置の第１の実施の形態の記録部を示す、模式的斜視図である。
【図１４】本発明のインクジェット記録装置の第１の実施の形態の用紙先端の記録部分を示す、模式的平面図である。
【図１５】本発明のインクジェット記録装置の第２の実施の形態の吐出ノズル列を示す、模式的平面図である。
【図１６】本発明のインクジェット記録装置の第２の実施の形態のプラテン部を示す、模式的斜視図である。
【図１７】本発明のインクジェット記録方法をフルラインタイプの記録ヘッドに適用する場合の記録媒体搬送方向から見た図である。
【図１８】余白無し記録（縁なし記録）の従来例を示す、模式的平面図である。
【図１９】余白無し記録（縁なし記録）の従来例を示す、模式的斜視図である。
【符号の説明】
１０      記録ヘッド
１１      プラテン
１１ａ    プラテンリブ列Ａ
１１ｂ    プラテンリブ列Ｂ
１１ｃ    プラテンリブ列Ｃ
１１ｄ    プラテンリブ列Ｄ
１１ｅ    プラテンリブ列Ｅ
１１ｆ    プラテンリブ列Ｆ
１１ｇ    プラテンリブ列Ｇ
１２      プラテンインク吸収体
１３      被記録用紙
１４      ガイドシャフト
１５      ガイドレール
１６，１６ａ，１６ｂ      吐出ノズル列
１７      先端部記録データ
１８      先端部記録データ第１領域
１９      先端部記録データ第２領域
２０      記録ヘッド吐出ノズル領域
２７      後端部記録データ
２８      後端部記録データ第１領域
２９      後端部記録データ第２領域
３０      キャリア
３１      キャリアベルト
３２      キャリアモータ
３３      ＬＦローラ
３４      ＬＦローラギア
３５      ピンチローラ
３６      ピンチローラホルダ
３７      排紙ローラ
３８      排紙ローラギア
３９      シャーシ
４０      ＡＳＦ（オート・シートフィーダ）
４１      外装
４２      吐出ノズル面
４３      吐出ノズル列Ｂ
４４      吐出ノズル列Ｙ
４５      吐出ノズル列Ｍ
４６      吐出ノズル列Ｃ
５０      記録シート支持部材
５１      記録シート検知手段
５２      ミシン目
５３      記録領域
【図１】
0003728203.tif 000002
【図２】
0003728203.tif 000003
【図３】
0003728203.tif 000004
【図４】
0003728203.tif 000005
【図５】
0003728203.tif 000006
【図６】
0003728203.tif 000007
【図７】
0003728203.tif 000008
【図８】
0003728203.tif 000009
【図９】
0003728203.tif 000010
【図１０】
0003728203.tif 000011
【図１１】
0003728203.tif 000012
【図１２】
0003728203.tif 000013
【図１３】
0003728203.tif 000014
【図１４】
0003728203.tif 000015
【図１５】
0003728203.tif 000016
【図１６】
0003728203.tif 000017
【図１７】
0003728203.tif 000018
【図１８】
0003728203.tif 000019
【図１９】
0003728203.tif 000020